(57)【要約】【課題】容器蓋付きの容器にＩＣタグを容易に装着すること。【解決手段】オーバーキャップ４は、天面壁１５と該天面壁１５から降下する周壁１６を有し、容器本体２の口部７を閉塞する容器蓋３の周りに被せられる。このオーバーキャップ４は、容器本体２の口部７に設けられた環状凸部８に係止される折返片１９と、該折返片１９を含む部分の破断によって折返片が環状凸部８との係止状態を解除する切断タブ１７と、周壁１６の内周面に装着され、任意の情報が記録されたＩＣタグとを備え、切断タブ１７の破断時において、ＩＣタグのリード線を切断するようにした。【選択図】図２
2014114070.tif 000002
【特許請求の範囲】
【請求項１】
天面壁と該天面壁から降下する周壁を有し、容器本体の口部の開口を閉塞する容器蓋の周りに被せられるオーバーキャップにおいて、
前記容器本体の口部又は前記容器蓋のいずれかに設けられた係止部に係止される係合部と、
該係合部の破断によって前記係合部が前記係止部との係止状態を解除する切断部と、
前記天面壁の内面又は前記周壁の内周面に装着され、任意の情報が記録されたＩＣタグとを備え、
該ＩＣタグを前記切断部によって分断される位置に配置し、前記切断部の破断時において、前記ＩＣタグの回路を切断するようにしたことを特徴とするオーバーキャップ。
【請求項２】
天面壁と該天面壁から降下する周壁を有し、容器本体の口部の開口を閉塞する容器蓋の周りに被せられるオーバーキャップを備えたオーバーキャップ付き容器において、
前記容器本体の口部又は前記容器蓋のいずれかに設けられた係止部に係止される係合部と、
該係合部の破断によって前記係合部が前記係止部との係止状態を解除する切断部と、
前記天面壁の内面又は前記周壁の内周面に装着され、任意の情報が記録されたＩＣタグとを備え、
該ＩＣタグを前記切断部によって分断される位置に配置し、前記切断部の破断時において、前記ＩＣタグの回路を切断するようにしたことを特徴とするオーバーキャップ付き容器。
【請求項３】
前記ＩＣタグの回路は、前記ＩＣチップから外部に引き出したリード線を設け、前記切断部の破断時に前記リード線を切断することによって、該リード線の切断後に生じた前記ＩＣチップの新たな記録情報をさらに検知するようにした請求項１又は２に記載のオーバーキャップ。
【請求項４】
前記係止部は、前記容器本体の口部の外周面から半径方向外側へ突出する凸部であって、
前記係合部は、前記周壁の下部から半径方向内側上部に突出する折返片であって、
前記オーバーキャップの装着時において前記凸部の底面に前記折返片の先端を引っかけることによって前記オーバーキャップが前記容器本体に係止されている請求項１〜３のいずれかに記載のオーバーキャップ。
【発明の詳細な説明】
【技術分野】
【０００１】
本発明は、汎用性を有するとともに装着されているＩＣタグの記録情報を変更することができるオーバーキャップ及びオーバーキャップ付き容器に関する。
【背景技術】
【０００２】
従来、各種の製品には、製造年月日、製造・販売者名、使用期限などの製品情報を表示したバーコードが広く利用されている。
ところで、バーコードは、コード化された情報をリーダーで読取るため、バーコードの印刷面を平面とする必要があり、このため、ボトルやキャップなどの包装材料の分野では、バーコードの印刷面が制限され、また、コード化できる情報量も限られたものとなってしまうという問題がある。
【０００３】
そこで、最近では、ＩＣタグを用いた情報表示の技術が利用されるようになってきた。ＩＣタグとは、ＲＦＩＤ(Radio  Frequency  Identification)とも呼ばれるものであり、所定の情報が記憶されたＩＣチップを無線アンテナとともに樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデーターを記録することができ、多くの製品情報を記録できるという利点がある。また、ＩＣタグは、非接触で記録された情報を読取ることができ、接触による摩耗などの問題もなく、さらには、商品の形態に併せた形状に加工したり、小型化、薄型化なども可能であるという利点がある。
【０００４】
例えば、特許文献１には、頂板にＩＣタグが埋め込まれた容器蓋が開示されている。
このようなＩＣタグを、容器の開封履歴の表示のために使用することも提案されており、例えば、特許文献２には、容器蓋を開封したとき、ＩＣタグ中のＩＣチップとアンテナとを結ぶリード線が断線することにより、開封を検出する方法が提案されている。
また、特許文献３には、容器口部に装着されるキャップ本体に連結された上蓋を開封した時、オーバーキャップに設けられているアンテナ回路が切断され、これにより、開封の事実を認識できることが開示されている。
これら特許文献２及び３の何れも、ＩＣタグの回路が切断されているという事実を外部読み取り装置により検知することにより、開封の事実を認識できるというものであるが、未だ解決すべき課題が残されている。
【先行技術文献】
【特許文献】
【０００５】
【特許文献１】特開２００５−３２１９３５号公報
【特許文献２】特許４０４７８２１号
【特許文献３】特開２０１１−２１３３７８号公報
【発明の概要】
【発明が解決しようとする課題】
【０００６】
すなわち、特許文献１の容器蓋は、開封前と開封後において、ＩＣタグの情報の変更ができず、また、ＩＣタグを装着した容器蓋を覆うキャップは、いわゆるオーバーキャップの形態を採用しているが、オーバーキャップを外すために、ＩＣタグを破断する動作と、オーバーキャップを外す２段階の動作をしなければならず、その手間がかかり、構造も複雑化している。
特許文献２，３の容器蓋は、アンテナ又はアンテナ線を切断し、ＩＣタグを通信不能にすることによって、開封履歴の有無を検知しているが、アンテナ線の切断後は、容器の情報や製造年月日などの情報が全て検知できないという問題があった。
特に、商品の販売後、ユーザに容器が渡った後に、製品等のキャンペン情報や、懸賞の当否、あるいはキャップの開封後に、該キャップの材質などを記録しておけば、リサイクルの仕分けなどが可能になる。
【０００７】
本発明はこのような事情に鑑みてなされたものであって、容器蓋の開封時の前後において、ＩＣタグの情報の変更が可能であり、さらには、汎用性をもって現行の容器蓋若しくは容器本体に装着可能であり、しかも、外し易く簡単な構造で容器蓋若しくは容器本体に装着可能なオーバーキャップ及びオーバーキャップ付き容器を提供することを目的とする。
【課題を解決するための手段】
【０００８】
本発明のオーバーキャップは、上記目的を達成するために、天面壁と該天面壁から降下する周壁を有し、容器本体の口部の開口を閉塞する容器蓋の周りに被せられるオーバーキャップにおいて、前記容器本体の口部又は前記容器蓋のいずれかに設けられた係止部に係止される係合部と、該係合部の破断によって前記係合部が前記係止部との係止状態を解除する切断部と、前記天面壁の内面又は前記周壁の内周面に装着され、任意の情報が記録されたＩＣタグとを備え、該ＩＣタグを前記切断部によって分断される位置に配置し、前記切断部の破断時において、前記ＩＣタグの回路を切断するようにした。
また、本発明のオーバーキャップ付き容器は、天面壁と該天面壁から降下する周壁を有し、容器本体の口部の開口を閉塞する容器蓋の周りに被せられるオーバーキャップを備えたオーバーキャップ付き容器において、
前記容器本体の口部又は前記容器蓋のいずれかに設けられた係止部に係止される係合部と、該係合部の破断によって前記係合部が前記係止部との係止状態を解除する切断部と、前記天面壁の内面又は前記周壁の内周面に装着され、任意の情報が記録されたＩＣタグとを備え、該ＩＣタグを前記切断部によって分断される位置に配置し、前記切断部の破断時において、前記ＩＣタグの回路を切断するようにした。
上記オーバーキャップの前記ＩＣタグの回路は、前記ＩＣチップから外部に引き出したリード線を設け、前記切断部の破断時に前記リード線を切断することによって、該リード線の切断後に生じた前記ＩＣチップの新たな記録情報をさらに検知することができる。
上記オーバーキャップの前記係止部は、前記容器本体の口部の外周面から半径方向外側へ突出する凸部であって、前記係合部は、前記周壁の下部から半径方向内側上部に突出する折返片であって、前記オーバーキャップの装着時において前記凸部の底面に前記折返片の先端を引っかけることによって前記オーバーキャップが前記容器本体に係止されることが好ましい。
【発明の効果】
【０００９】
本発明のオーバーキャップ又はオーバーキャップ付き容器は、容器本体の口部又は容器蓋のいずれかに設けられた係止部に係止される係合部と、該係合部の破断によって前記係合部が前記係止部との係止状態を解除する切断部と、天面壁の内面又は周壁の内周面に装着され、任意の情報が記録されたＩＣタグとを備え、該ＩＣタグを前記切断部によって分断される位置に配置し、前記切断部の破断時において、前記ＩＣタグの回路を切断するようにしたので、ＩＣタグの切断動作が容易になり、オーバーキャップの構造が簡略化する。
また、オーバーキャップのＩＣタグの回路は、ＩＣチップから外部に引き出したリード線を設け、前記切断部の破断時に前記リード線を切断することによって、該リード線の切断後に生じた前記ＩＣチップの新たな記録情報をさらに検知することができる。よって、商品の購入前のみならず、購入後もＩＣタグの情報を検知できるとともに、最終ユーザに新たな情報をもたらすことができる。
【図面の簡単な説明】
【００１０】
【図１】本発明の実施形態におけるオーバーキャップ付き容器の口部の斜視図である。
【図２】図１のオーバーキャップ付き容器のオーバーキャップを外した状態の斜視図である。
【図３】図１のオーバーキャップを透過させてみたオーバーキャップ付き容器口部の斜視図である。
【図４】Ａは、図１のオーバーキャップの周壁の下部に形成された折返片が容器の凸部に係止されている状態を示す拡大断面図である。
【図５】図１のオーバーキャップに装着されているＩＣタグの斜視図である。
【図６】図１のオーバーキャップのタブ切断部を部分的に破断した状態の斜視図である。
【図７】図１のオーバーキャップのタブ切断部の全体を破断した状態の斜視図である。
【図８】図１のオーバーキャップに装着されているＩＣタグの変形例であって、Ａは、データ変更用のリード線付きの９００ＭＨｚ帯のＵＨＦタグの斜視図、Ｂはデータ変更用のリード線無しの９００ＭＨｚ帯のＵＨＦタグの斜視図、Ｃは１３．５６ＭＨｚ帯のＮＦＣタグの斜視図である。
【発明を実施するための形態】
【００１１】
以下、本発明のオーバーキャップ付き容器について図面を参照しながら説明する。
図１は、本発明の実施形態におけるオーバーキャップ付き容器の口部の斜視図、図２はオーバーキャップ付き容器のオーバーキャップを外した状態の斜視図、図３はオーバーキャップを透過させてみたオーバーキャップ付き容器口部の斜視図である。
オーバーキャップ付き容器１は、内容物が充填される容器本体２、容器本体２の口部７の上部側に被せられ、該口部７の開口を閉塞する容器蓋３、さらに該容器蓋３を覆うオーバーキャップ４と、任意の情報が記録されるＩＣタグ５とを備えている。
【００１２】
容器本体２は、ペットボトル、金属製ボトル、陶器、ガラスなどが使用でき、容器本体２の肩部９よりも上方には円柱形の口部７が形成されている。本実施形態では、容器本体２の口部７に雄ネジ（図示せず）が形成され、容器蓋３の内周面に形成された雌ネジ（図示せず）と螺着して、容器蓋３を装着できる。
容器本体２の口部７の外周面側で、容器蓋３が装着される部分の下部には、容器本体２の半径方向外側へ突出する環状凸部８が形成されている。係止部としての環状凸部８の下面８ａは、水平方向に向く水平面が形成されている（図４参照）。
【００１３】
容器蓋３は樹脂材料で形成され、円板形状の頂壁１１と、頂壁１１の周縁から降下したスカート壁１２とからなる。スカート壁１２の外周面には、周方向に見て交互に存在する凹凸形状から構成された滑り止め用のローレット１３が形成されている。
なお、口部７と容器蓋３とをネジ螺合にしたが、両者をネジ螺合とせずに単なる嵌合で口部７を閉塞するようにしてもよい。
樹脂材料で形成されたオーバーキャップ４は、円板形状天面壁１５と該天面壁１５から降下する円筒形の周壁１６を有している。オーバーキャップ４は、容器本体２に装着され、容器蓋３を覆うことができる。詳しくは、オーバーキャップ４の周壁１６の下部における内周面には、係合部としての折返片１９を形成している。折返片１９は、無負荷時において、周壁１６の下部内周面から半径方向内側上部に向かって斜めに突出する折返片１９であって、折返片１９は周壁１６の周方向に等間隔を空けて複数個が形成されている。
【００１４】
折返片１９は、外的作用が負荷すると、基端側が揺動（回動）中心となって、先端部が周壁１６の内周面側若しくは、周壁の中心側に移動可能であって、外的作用が無くなると弾性力によってもとの傾斜角に復帰する。
この折返片１９は、容器本体２の口部７にオーバーキャップ４が装着された状態で、折返片１９の先端を結んだ円の直径は、上述した環状凸部８の外径よりも小さく形成されている。そして、容器本体２の環状凸部８の下面８ａにその先端が当接することによって、オーバーキャップ４の上方への移動が規制され、オーバーキャップ４は容器本体２から抜け止めされる。
オーバーキャップ４の容器本体２への装着時において、オーバーキャップ４と容器蓋３との間には、僅かな隙間が形成されるか、若しくは僅かに接触する程度であり、オーバーキャップ４を周方向へ回転させても、該オーバーキャップ４が空回りするだけであって、容器蓋３がオーバーキャップ４に伴って回転することはない。
【００１５】
オーバーキャップ４の天面壁１５から周壁１６に亘って、切断部としての切断タブ１７が形成されている。切断タブ１７は、全体として帯状であって、天面壁１５の径方向一端側近くから天面壁の中心を通り、径方向他端側の天面壁１５の外周縁まで延び、該外周縁から降下して周壁１６の下端まで延びている。切断タブ１７の天面壁１５側では、先端部が半円形であって、この半円形の部分の内方には、同じく半円形の窪み２１が形成されている。全体として切断タブ１７の周囲は薄肉のスコア１８が形成され、スコア１８は人手によって引き裂くことができる程度の強さに形成される。
【００１６】
オーバーキャップ４の周壁１６の内周面には、図５に示すフィルム状のＩＣタグ５が貼着されている。ＩＣタグ５は、四角形状の厚さの薄い樹脂製のフィルム基材３３、記録媒体を有するＩＣチップ３４，ＩＣチップ３４に接続されている情報送受信用のアンテナ３５、同じくＩＣチップ３４から引き出されたリード線３７を備えている。
フィルム基材３３は、一般に熱溶着可能な熱可塑性樹脂から形成されている。このような熱可塑性樹脂は特に制限されないが、一般には、このＩＣタグ５が取付けられるオーバーキャップ４や容器蓋３を構成する樹脂基材と同様の樹脂が使用される。例えば、ポリオレフィン製のオーバーキャップ４にＩＣタグ５を設ける場合には、ポリオレフィンによりフィルム基材３３を形成するのがよい。また、ＩＣチップ３４や金属アンテナ３５がポリエチレンテレフタレート樹脂フィルムに設けられた状態で市販されているＩＣタグ５もあるが、このような場合には、適宜、酸変性オレフィン系樹脂などの接着剤を用いて、ポリエチレンテレフタレート樹脂フィルム基材３３の裏面にポリエチレンやポリプロピレン等のポリオレフィン樹脂層を積層させておくことが、キャップにＩＣタグ５を取付ける上で好ましい。
また、フィルム基材３３としては、紙を使用することもできる。
【００１７】
ＩＣチップ３４は、フリップチップ実装などにより、上記のアンテナ３５に導通するように設けられるものであり、このＩＣタグ５が取付けられる製品に関する情報が記憶されるものである。そして、上記のアンテナ３５を介しての信号の送信により、所定の情報が記憶され、またアンテナ３５を介してＩＣタグ５に記憶された情報が読取られるものである。
なお、上記のＩＣチップ３４は、一般に、ポリイミド、ビスマレイミド樹脂などの電気絶縁性の硬化樹脂等により、封止されて保護されている。さらに、紙の貼り合わせによりＩＣチップ３４を封止することもできる。
このようなＩＣチップ３４には、既に述べた通り、包装容器に充填されている内容物に関する情報（例えば生産者、製造業者、生産年月日、出荷日時など）や容器、キャンペンに関する情報などが入力されており、抵抗、電圧変化などで開封の有無などを知る情報も入力されている。このような情報の入力や出力は、高周波信号により行われ、一般に９００ＭＨｚ付近のＵＨＦ帯や１３．５６ＭＨｚの周波数帯が主として利用される。
【００１８】
ＩＣチップ３４への信号の送受信のために使用されるアンテナ３５は、使用される信号の周波数に応じた共振長さなどを有する。
また、開封検出用のリード線３７は、これが切断したときの抵抗変化によりＩＣチップ３４での電圧変化などをもたらすものであればよい。
上記のようなアンテナ３５やリード線３７は、通常、アルミニウム、銅、銀、金などの低抵抗金属の薄膜（厚みが５乃至５０μｍ程度）からなるものであり、例えば金属箔の貼り合わせやメッキ、エッチング、銀ペーストなどの導電性インキを用いての印刷により形成することができる。
【００１９】
なお、フィルム基材３３の厚みは、その表面にＩＣチップ３４を実装する作業やアンテナ３５及びリード線３７を形成するためのメッキ作業などを行い得る程度の強度を示すようなものであればよく、後述するオーバーキャップへの装着形態に応じて適宜の厚みとすることができる。例えば、フィルム基材３３の裏面（ＩＣチップ等が設けられていない側の面）或いは表面の金属製アンテナが存在しない部分でのヒートシールによりオーバーキャップ４に装着する場合には、比較的薄肉でよいが、嵌め込みなどによりオーバーキャップ４に装着する場合には、比較的厚肉とすることが必要である。このような観点から、フィルム基材３３の厚みは、一般に、５〜１０００μｍ程度の範囲とし、この範囲内で、装着形態に応じた厚みとすることが好適である。
また、図５では、フィルム基材３３は四角形状を有しているが、その取り付け形態や回路の破断位置などに応じて適当な形状を有していればよく、四角形である必要はない。
【００２０】
アンテナ３５はほぼ円形に形成され、ＩＣチップ３４が配設された側で、アンテナ３５の両端部がＩＣチップ３４側に曲げられＩＣチップ３４と接続されている。リード線３７はＩＣチップ３４からアンテナ３５と反対側から引き出されている。
リード線３７は、上述したように、リード線３７を切断することによって、リード線３７の切断前と切断後にＩＣチップ３４内にて電気的変化が生じることによって、リード線３７が切断されたか否かを検知できる。
【００２１】
周壁１６に設けられるＩＣタグ５は、切断タブ１７のスコア１８を横断して配置される。周壁１６の内周面にＩＣタグ５を取付けるときには、接着材や溶着などで取付けることができる。本実施形態では、ＩＣタグ５の取付けの際には、周壁１６の切断タブ１７側にリード線３７を配置し、切断タブ１７の存在しない側にＩＣチップ３４及びアンテナ３５を配置している。したがって、リード線３７がスコア１８の部分を横断し、切断タブ１７を引き裂いてスコア１８を破断すると、リード線３７が破断される。
【００２２】
このようなオーバーキャップ付き容器１は、容器本体２に容器蓋３がネジ螺合によって、装着される。本実施形態では、容器蓋３に開封履歴情報を知る手段は設けられていない。オーバーキャップ４を容器本体２に装着するときは、容器本体２に容器蓋３が被さっている状態で、そのままオーバーキャップ４を容器蓋３に被せる。オーバーキャップ４は、内径が容器蓋３の外径よりも大きく、周壁１６の高さがスカート壁１２の高さよりも充分に大きいので、容器蓋３の全体を覆うことができる。周壁１６の内周壁に形成されている折返片１９は、無負荷状態では折返片１９の先端を結ぶ円の直径は、容器蓋３のスカート壁１２及び環状凸部８の外径よりも少し小さいので、折返片１９の先端が周壁１６の内周面側に曲げられる。そして、折返片１９が環状凸部を越えると折返片１９の先端が周壁１６の中心側に戻り、折返片１９が環状凸部８の下面８ａに係止される。こうして、オーバーキャップ４は容器本体２に装着される。  
【００２３】
次に、本発明のオーバーキャップ付き容器１の作用について説明する。
ＩＣタグ５には、予め製品情報などが記録される。例えば、容器本体２の内容物である飲料の製造年月日、生産地、消費期限、開封履歴情報などの基本的な製品情報やその他、製品のキャンペン情報などを記録できる。さらには、容器が飲料や食品でない場合は、例えば、洗剤などであれば使用方法や注意書きなどが記録できる。よって、ユーザは、容器の購入前には、店頭に備えた読取り装置や、携帯電話などの読取器などで商品情報を知ることができる。
【００２４】
本実施形態では、オーバーキャップ４の開封後もＩＣタグ５との通信が可能であるので、開封前の情報や、開封後に新たな内容を知らせしめることができる。例えば、商品に当たりくじなどを付す場合は、製品購入前に店頭などで検知されないようにする必要がある。
よって、製品を購入してからキャップの開封後に、当たりくじをユーザに知らせしめることが必要である。そのようなキャップの当たり情報などを、開封前はユーザに知られないように、記録させておく。そして、ＩＣタグ５のリード線３７が切断されたときに、新たな当たり情報がＩＣタグ５から読み取れるようにすればよい。
【００２５】
ユーザが容器蓋３を開封するときは、先ず、オーバーキャップ４から外す。オーバーキャップ４の離脱は、スコア１８に沿って切断タブ１７を引き剥がす。切断タブ１７には、天面壁１５側の先端に窪み２１を形成しているので、例えば、窪み２１を押して、切断タブ１７の先端部を破断し、その隙間を掴むようにして切断タブ１７を引き剥がせばよい。切断タブ１７は周壁１６の下端まで形成されているので、切断タブ１７が引き剥がされることによって、天面壁１５の一部と、周壁１６が左右に破断され、切断タブ１７が配置されていた部分を左右に広げることができる。すると、今まで係止されていた折返片１９と環状凸部８との係合が解除され、オーバーキャップ４を容器本体２の口部７から除去できる。次いで、容器蓋３を開栓方向に回転させることによって、口部７とのネジ係合を解除し、容器蓋３を容器本体２から外すことができる。
【００２６】
オーバーキャップ４には、ＩＣタグ５が貼着され、切断タブ１７を引き剥がすことによって、スコア１８の部分で、ＩＣタグ５がリード線３７を有する部分と、ＩＣチップ３４及びアンテナ３５を有する部分とで破断される。よって、切断タブ１７を除いたオーバーキャップ４側にＩＣチップ３４が存在する。ＩＣチップ３４には、未だアンテナ３５が連結されているので、ユーザは、この先もＩＣチップ３４のデーターを読み取ることができる。よって、ユーザは容器（商品）の購入後に携帯電話などの読取り装置で、商品の製造年月日や消費期限を確認できる。ただし、ユーザに対して不必要なデーターは、リード線３７の切断時に電気的に除去するようにしてもよい。
なお、スコア１８の部分でＩＣタグ５の切断を容易にするため、スコア１８の位置に対応する部分のフィルム基材３３に弱化部を形成し、破断し易くしてもよい。
【００２７】
よって、ユーザは、容器蓋３が未だ未開封である情報を確認でき、中身の交換などのいたずらが認知され、かつ防止される。
また、ユーザは、オーバーキャップ４の切断タブ１７の引き裂き後に、ＩＣタグに記録されている、当たりくじやキャンペン情報を知ることができる。
さらには、オーバーキャップ４が廃棄されて回収された後には、リサイクルにおいてキャップの種類や、色別情報を記録することで、識別、種類毎の自動的な仕分けなども可能となる。
このように、従来では、アンテナを断線していたので、容器蓋の開栓後は容器蓋からＩＣタグ情報を得ることができなかったが、本実施形態では、容器蓋３の開栓後若しくはオーバーキャップ４の切断タブ１７の引き裂き後にもＩＣタグ情報を得ることができる。
以上、説明したように、本実施形態のオーバーキャップ４は、形態を合わせてことによって、容器蓋付きの容器の種類にこだわることなく後付けできるので、汎用性が大きく使い勝手がよい。また、切断タブ１７が形成された単純形態のオーバーキャップ４に、ＩＣタグ５を貼り付けるだけでよい。オーバーキャップ４の取外しと、ＩＣタグ５の切断とが切断タブ１７の引き剥がしの１動作で可能になり、構造が複雑になることなく安価で実施可能である。
【００２８】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、上記実施形態では、オーバーキャップ４の切断タブ１７をオーバーキャップ４から完全に切り離したが、周壁１６に２本通るスコア１８のうち、いずれか１つのスコア１８の下端部にスコアを形成することなく（図６のａの領域で示す部分）、肉厚の部分を残すことによって、オーバーキャップ４と切断タブ１７を完全に切り離さなくともよい。このようにすることで、オーバーキャップ４と切断タブ１７とを分離させないですむ。
また、上記実施形態では、周壁１６にＩＣタグ５を貼着したが、天面壁１５側にＩＣタグ５を貼着してもよい。
なお、ＩＣタグには、上記実施例で説明したものの他、図８に示すものがある。
例えば、Ａは、データ変更用のリード線付きの９００ＭＨｚ帯のＵＨＦタグであり、ＩＣタグ５のアンテナ３５は、ＩＣチップ３４の側部において、アンテナ３５の端部がＩＣチップ３４側に曲げられることによってＩＣチップ３４と接続されている。アンテナ３５の形状は、フィルム基材３３の外周部に沿って、内外に２重に配設され、内側ではほぼ環状であって、外側は二股に分かれた円弧形状である。そして、リード線３７はＩＣチップ３４からアンテナ３５と反対側から引き出されている。リード線３７は、上述したように、リード線３７を切断することによって、リード線３７の切断前と切断後にＩＣチップ３４内にて電気的変化が生じることによって、リード線３７が切断されたか否かを検知できる。
また、図６のＢはデータ変更用のリード線無しの９００ＭＨｚ帯のＵＨＦタグであり、の斜視図、Ｃは１３．５６ＭＨｚ帯のＮＦＣタグである。これらのＩＣタグ５を適宜使用できる。
よって、本実施形態では、リード線３７を切断し、オーバーキャップ４の破断後でもＩＣタグ５の情報を知るようにしたが、図６のＢ及びＣに示すように、リード線３７を省略して、アンテナ回路を切断しても良い。ただし、切断タブ１７の破断後に情報を読み取ることはできない。
【符号の説明】
【００２９】
１  オーバーキャップ付き容器
２  容器本体
３  容器蓋
４  オーバーキャップ
５  ＩＣタグ
７  口部
８  環状凸部（係止部）
８ａ  下面
１５  天面壁
１６  周壁
１７  切断タブ（切断部）
１８  スコア
１９  折返片（係合部）
３３  フィルム基材
３４  ＩＣチップ
３５  アンテナ
３７  リード線
【図１】
2014114070.tif 000003
【図２】
2014114070.tif 000004
【図３】
2014114070.tif 000005
【図４】
2014114070.tif 000006
【図５】
2014114070.tif 000007
【図６】
2014114070.tif 000008
【図７】
2014114070.tif 000009
【図８】
2014114070.tif 000010